【手続補正書】
【提出日】令和3年2月24日(2021.2.24)
【手続補正１】
【補正対象書類名】特許請求の範囲
【補正対象項目名】全文
【補正方法】変更
【補正の内容】
【特許請求の範囲】
【請求項１】
１以上のＰＤＭＳ樹脂を含む層であって、各ＰＤＭＳ樹脂が、以下のｉ）及び／又はii）を含み
ｉ）１以上のポリ(ジメチルシロキサン)、各ポリ(ジメチルシロキサン)は、１以上のポリ(ジメチルシロキサン)部分を含む、及び
任意で、前記ポリ(ジメチルシロキサン)は、独立して、以下の構造を有するペンダント基を１以上含む：
2020516755.tif 000001
式中、Ｒは、前記ポリ(ジメチルシロキサン)の中でそれぞれ独立して、アルキル基及び−Ｏ−ＳｉＯＲ’基から選択され、Ｒ'は、−Ｏ−ＳｉＯＲ’基の中でそれぞれ独立して、アルキル基から選択される；
ii）１以上のポリマーであって、各ポリマーは、
１以上の骨格であって、直線状あるいは分岐状ポリ(ジメチルシロキサン)、炭化水素ポリマー、ポリアクリレートポリマー、ポリ(メタクリレート)、ポリ(スチレン)、ポリ(ビニルエステル)、ポリ(アリルエーテル)、ポリエステル、ポリウレタン、ポリウレア、ポリアミド、ポリイミド、ポリスルホン、及びそれらの組み合わせから選択される骨格から選択されるもの、及び任意で、
以下の構造を有する少なくとも１つのペンダント基を含み：
2020516755.tif 000002
式中、Ｒは、それぞれ独立して、アルキル基及び−Ｏ−ＳｉＯＲ’基から選択され、Ｒ'基は、-アルキル基である
ここで、前記層は、基材の外表面の一部又は全てに配置される層である。
【請求項２】
前記１以上のポリ(ジメチルシロキサン)が、直線状のポリ(ジメチルシロキサン)部分、分岐状のポリ(ジメチルシロキサン)部分、又はそれらの組み合わせを含む、請求項１に記載の層。
【請求項３】
前記１以上のポリ(ジメチルシロキサン)が以下のものであり、
2020516755.tif 000003
式中、Ｒ2は、それぞれ独立して、Ｈ、炭素数１〜４０の炭化水素基、又は−Ｏ−ＳｉＯＲ’基から選択され、Ｒ’基は、アルキル基であり；ｎは０〜４００であり、ｍは１〜５０，０００である、請求項１に記載の層。
【請求項４】
前記１以上のポリ(ジメチルシロキサン)又は直線状あるいは分岐状ポリ(ジメチルシロキサン)の少なくとも１つが、１以上の架橋性基を有する、請求項１に記載の層。
【請求項５】
前記架橋性基が、アクリレート、メタクリレート、アリル、ビニル、チオール、ヒドロキシル、シラノール、カルボン酸、アルデヒド、アミン、イソシアネート、アジド、アルキン、エポキシ、ハライド、水素、及びそれらの組み合わせから選択される、請求項４に記載の層。
【請求項６】
前記ペンダント状分岐ＰＤＭＳが、１以上のトリス(トリアルキルシロキシ)シリルビニル化合物及びトリメトキシシランビニル化合物の重合によって形成され、ここで前記アルキル部分が、それぞれ独立して、Ｃ1〜Ｃ40アルキル部分である、請求項１に記載の層。
【請求項７】
前記アルキル部分が、それぞれ独立して、Ｃ1〜Ｃ30、Ｃ1〜Ｃ10アルキル部分、又はＣ1〜Ｃ5アルキル部分である、請求項６に記載の層。
【請求項８】
前記ペンダント基が、以下のものから選択され、
2020516755.tif 000004
及び任意で、前記ペンダント基が、連結基によって、前記ポリ(ジメチルシロキサン)樹脂又は骨格に共有結合している、請求項１に記載の層。
【請求項９】
前記１以上のポリ(ジメチルシロキサン)部分、又は前記直線状あるいは分岐状ポリ(ジメチルシロキサン)骨格のＲ2ＯＳｉ繰り返し単位の数が、０〜４００である、請求項１に記載の層。
【請求項１０】
前記ポリ(ジメチルシロキサン)が、以下の構造を有している、請求項１に記載の層
2020516755.tif 000005
式中、ｎは０〜６００であり、ｍは０〜３であり、Ｘは架橋性基であり、以下のものを含むが、これらに限定されない：アクリレート、メタクリレート、アリル、ビニル、チオール、ヒドロキシル、シラノール、カルボン酸、アルデヒド、アミン、イソシアネート、アジド、アルキン、エポキシ、ハライド、水素、及びそれらの組み合わせ。
【請求項１１】
前記層が硬化された層である、請求項１に記載の層。
【請求項１２】
前記層がさらに、ＰＤＭＳ樹脂の２つのポリマー鎖の間に、少なくとも１つの架橋を有するか（ここで、ＰＤＭＳ樹脂の前記２つのポリマー鎖は同じであっても、異なっていてもよい）、及び／又は、ＰＤＭＳ樹脂のポリマー鎖と基材との間に、少なくとも１つの架橋を有する（ここで、ＰＤＭＳ樹脂の前記ポリマー鎖は同じであっても、異なっていてもよい）、請求項１に記載の層。
【請求項１３】
前記層がさらに、以下のものから選択される１以上の架橋部分、及びそれらの組み合わせを含み：
2020516755.tif 000006
式中、Ｒ3は、炭素数１〜４０の炭化水素基であり、ｎは０〜６００である、請求項１に記載の層。
【請求項１４】
前記層が、さらに複数のナノ粒子を含む、請求項１に記載の層。
【請求項１５】
前記複数のナノ粒子が、シリカナノ粒子からなる群より選択される、請求項１４に記載の層。
【請求項１６】
前記ナノ粒子の重量パーセンテージが、前記層の総重量に対して１〜９８ｗｔ％である、請求項１５に記載の層。
【請求項１７】
前記層の厚みが、１０ｎｍ〜３００ミクロンである、請求項１に記載の層。
【請求項１８】
前記基材が、ファブリック、 ファイバー、フィラメント、ガラス、セラミック、カーボン、金属、木材、ポリマー、プラスチック、紙、膜、コンクリート、レンガ、及び同等のものである、請求項１に記載の層。
【請求項１９】
前記ファブリックが、綿、ＰＥＴ、綿／ＰＥＴのブレンド、ナイロン、ポリエステル、スパンデックス、絹、ウール、ビスコース、セルロース繊維、アクリル、ポリプロピレン、それらのブレンド、レザー、及びそれらの組み合わせから選択される、請求項１８に記載の層。
【請求項２０】
前記基材が、ファブリックの外表面の一部に配置された超親水性層を有するファブリックである、請求項１に記載の層。
【請求項２１】
前記層が、２２ｍＪ/ｍ2以下の表面張力を有する、請求項１に記載の層。
【請求項２２】
２２ｍＪ/ｍ2以下の表面張力を有する層と、超親水性層とが、ファブリックの反対側に配置されている、請求項１に記載の層。
【請求項２３】
前記基材及び／又は層がフッ素フリーである、請求項１に記載の層。
【請求項２４】
基材の外表面の一部又は全てに配置された請求項１に記載の層を形成する方法であって、
前記基材の外表面の一部又は全てを、ポリ(ジメチルシロキサン)(ＰＤＭＳ)樹脂又は複合ナノ流体でコーティングすること；及び
前記ＰＤＭＳ樹脂コーティング又は前記複合ナノ流体から形成されたコーティングの温度にて、前記コーティングを硬化し加熱すること
を含み、この際、請求項１に記載の層が、前記基材の外表面の一部又は全てに形成される、方法。
【請求項２５】
前記ＰＤＭＳ樹脂が、以下の（ｉ）及び／又は（ii）を含む：
ｉ）１以上のポリ(ジメチルシロキサン)部分を含む１以上のポリ(ジメチルシロキサン)樹脂、
ここで、任意で、前記ポリ(ジメチルシロキサン)樹脂は、以下の構造を有するペンダント基を１以上含む：
2020516755.tif 000007
式中、Ｒは、前記ポリ(ジメチルシロキサン)の中でそれぞれ独立して、アルキル基及び−Ｏ−ＳｉＯＲ’基から選択され、Ｒ'は、−Ｏ−ＳｉＯＲ’基の中でそれぞれ独立して、アルキル基から選択される；
ii）１以上のポリマーであって、
直線状あるいは分岐状ポリ(ジメチルシロキサン)、炭化水素ポリマー、ポリアクリレートポリマー、ポリ(メタクリレート)、ポリ(スチレン)、ポリ(ビニルエステル)、ポリ(アリルエーテル)、ポリエステル、ポリウレタン、ポリウレア、ポリアミド、ポリイミド、ポリスルホン、及びそれらの組み合わせから選択される骨格、及び、
以下の構造を有する少なくとも１つのペンダント基を含み、
2020516755.tif 000008
式中、Ｒは、それぞれ独立して、アルキル基及び−Ｏ−ＳｉＯＲ’基から選択され、Ｒ'基は、アルキル基である、請求項２４に記載の方法。
【請求項２６】
前記複合ナノ流体が、ＰＤＭＳ樹脂、１以上のナノ粒子、及び任意で、溶媒、クロロホルム、テトラヒドロフラン、及びそれらの組み合わせを含む、請求項２４に記載の方法。
【請求項２７】
前記基材が、ファブリック、 ファイバー、フィラメント、ガラス、セラミック、カーボン、金属、木材、ポリマー、プラスチック、紙、膜、コンクリート、レンガ、及び同等のものである、請求項２４に記載の方法。
【請求項２８】
前記基材が、その上に配置された複数のナノ粒子を有する、請求項２４に記載の方法。
【請求項２９】
前記基材がフッ素フリーである、請求項２４に記載の方法。
【請求項３０】
前記コーティングが、スプレーコーティング、ディップコーティング、フローティング・ナイフコーティング、ダイレクトロールコーティング、パディング、カレンダーコーティング、フォームコーティング、又はそれらの組み合わせである、請求項２４に記載の方法。
【請求項３１】
さらに、基材の前処理を含む、請求項２４に記載の方法。
【請求項３２】
前記前処理が、化学的処理、物理的処理、プライマー処理、又はそれらの組み合わせである、請求項３１に記載の方法。
【請求項３３】
前記前処理が、前記基材の外表面の一部又は全てを、非金属酸化物、金属酸化物、又はそれらの組み合わせでコーティングすることを含む、請求項３１に記載の方法。
【請求項３４】
さらに、前記基材をシリカナノ粒子と接触させることを含む、請求項２４に記載の方法。
【請求項３５】
前記コーティングと硬化が１〜２０回繰り返される、請求項２４に記載の方法。
【請求項３６】
さらに、前記層にさらなる表面粗さを施すことを含む、請求項２４に記載の方法。
【請求項３７】
さらなる表面粗さが、ナノファブリケーション、エレクトロスピニング、フォースドスピニング、押出、機械的スタンピング、摩耗、エッチング、又はそれらの組み合わせによって、前記層に施される、請求項３６に記載の方法。
【請求項３８】
基材の外表面の一部又は全てに配置された、ポリ(ジメチルシロキサン)を含む層を形成する方法であって、
ジメチルシロキサン前駆体の重合を開始できる複数の官能基を有する基材を、反応混合物と接触させることを含み、この反応混合物は、１以上のジメチルシロキサン前駆体、及び
（ｉ）１以上のラジカル開始剤；又は
（ii）１以上の金属触媒及び１以上のアミンを含む１以上の活性化剤を含み、
この際、基材の表面に配置されたポリ(ジメチルシロキサン)層を含む層が形成される、方法。
【請求項３９】
前記基材が、ファブリック、 ファイバー、フィラメント、ガラス、セラミック、カーボン、金属、木材、ポリマー、プラスチック、紙、膜、コンクリート、レンガ、及び同等のものである、請求項３８に記載の方法。
【請求項４０】
前記基材が、その上に配置された複数のナノ粒子を有する、請求項３８に記載の方法。
【請求項４１】
前記基材がフッ素フリーである、請求項３８に記載の方法。
【請求項４２】
さらに、基材の前処理を含む、請求項３８に記載の方法。
【請求項４３】
前記前処理が、化学的処理、物理的処理、プライマー処理、又はそれらの組み合わせである、請求項４２に記載の方法。
【請求項４４】
前記前処理が、前記基材の外表面の一部又は全てを、非金属酸化物、金属酸化物、又はそれらの組み合わせでコーティングすることを含む、請求項４２に記載の方法。
【請求項４５】
さらに、前記基材（ポリ(ジメチルシロキサン)層を有していてもよい）を、シリカナノ粒子と接触させることを含む、請求項３８に記載の方法。
【請求項４６】
前記接触が１〜２０回繰り返される、請求項３８に記載の方法。
【請求項４７】
さらに、前記層にさらなる表面粗さを施すことを含む、請求項３８に記載の方法。
【請求項４８】
さらなる表面粗さが、ナノファブリケーション、エレクトロスピニング、フォースドスピニング、押出、機械的スタンピング、摩耗、エッチング、又はそれらの組み合わせによって、前記層に施される、請求項４７に記載の方法。
【請求項４９】
請求項１に記載の層を１つ以上含む、製造品。
【請求項５０】
前記製造品が、布地、衣類、食品包装、眼鏡、ディスプレイ、スキャナ、飛行機コーティング、スポーツ用品、建築材料、窓、風防ガラス、耐食性コーティング、防氷コーティング、冷却器、又はライトである、請求項４９に記載の製造品。